(57)【要約】  本技術は、消費電力を低減することができるようにする受信装置、受信方法、およびプログラムに関する。抽出回路は、データに付加された制御情報のうちの一部の情報を抽出し、抜出処理回路は、データから、抽出回路により抽出された一部の情報で特定されるデータを抜き出す。誤り訂正回路は、抜出処理回路により抜き出されたデータの誤り訂正を行う。本技術は、ARIB STD-B44規格の高度広帯域衛星デジタル放送において、信号を受信する受信装置に適用することができる。
2018021036.tif 000002
【特許請求の範囲】
【請求項１】
データに付加された制御情報のうちの一部の情報を抽出する抽出回路と、
前記データから、前記抽出回路により抽出された前記一部の情報で特定されるデータを抜き出す抜出処理回路と、
前記抜出処理回路により抜き出されたデータの誤り訂正を行う誤り訂正回路と
を備える受信装置。
【請求項２】
前記制御情報には、所定数フレーム後の前記データに関するパラメータが含まれる
請求項１に記載の受信装置。
【請求項３】
前記抜出処理回路は、現フレームの前記データから、所定数フレーム前の前記データに付加された前記制御情報のうちの前記パラメータで特定されるデータを抜き出す
請求項２に記載の受信装置。
【請求項４】
前記誤り訂正回路は、前記抜き出されたデータとともに、現フレームの前記データに付加された前記制御情報の誤り訂正を行い、
前記抽出回路は、現フレームの前記データに付加された前記制御情報のうちの前記パラメータを抽出する
請求項３に記載の受信装置。
【請求項５】
前記制御情報は、ARIB STD-B44で規定されるTMCC情報であり、
前記パラメータは、相対ストリーム／スロット情報、および、相対ストリーム／伝送ストリームID対応表情報である
請求項２に記載の受信装置。
【請求項６】
前記誤り訂正回路は、LDPC符号を用いた誤り訂正を行う
請求項１に記載の受信装置。
【請求項７】
前記誤り訂正回路は、前記抜き出されたデータの量に応じた動作クロックで、誤り訂正を行う
請求項１に記載の受信装置。
【請求項８】
データに付加された制御情報のうちの一部の情報を抽出し、
前記データから、抽出された前記一部の情報で特定されるデータを抜き出し、
抜き出されたデータの誤り訂正を行う
ステップを含む受信方法。
【請求項９】
データに付加された制御情報のうちの一部の情報を抽出し、
前記データから、抽出された前記一部の情報で特定されるデータを抜き出し、
抜き出されたデータの誤り訂正を行う
ステップを含む処理をコンピュータに実行させるプログラム。
【発明の詳細な説明】
【技術分野】
【０００１】
本技術は、受信装置、受信方法、およびプログラムに関し、特に、消費電力を低減することができるようにする受信装置、受信方法、およびプログラムに関する。
【背景技術】
【０００２】
現在の高度広帯域衛星デジタル放送の伝送方式の規格として、ISDB-S（Integrated Services Digital Broadcasting for Satellite）が知られている。ISDB-Sは、BSデジタルテレビ放送、BSデジタル音声放送、110度CSデジタル放送で使用されている。【０００３】
衛星デジタル放送において、送信装置が、番組の動画などのデータを送信する場合には、動画データをMPEGなどの符号化方式で符号化し、誤り訂正符号化処理を施して送信する。動画データには、TMCC（Transmission and Multiplexing Configuration Control）情報と呼ばれる情報が付加される。【０００４】
TMCC情報は、テレビジョン受像機や、テレビジョン機能を有する携帯端末などの受信装置において、受信データを正しく復調、再生する際に用いられる。【０００５】
特許文献１には、TMCC情報全体のうちの、データの伝送および多重に関するパラメータを抽出し、抽出されたパラメータに従って復調する受信装置が開示されている。
【先行技術文献】
【特許文献】
【０００６】
【特許文献１】特開２０１２―６０４８１号公報
【発明の概要】
【発明が解決しようとする課題】
【０００７】
現在、現行のISDB-Sの後継にあたる規格であるISDB-S3の策定が進められている。ISDB-S3によれば、現行の規格と同じ帯域で、より高品質な画像、音声およびデータを、効率よく伝送することが可能となる。【０００８】
ところで、ISDB-S3においては、誤り訂正符号としてLDPC（Low-Density Parity-Check）符号が使用される。LDPC符号を用いた誤り訂正は、高い訂正能力を発揮するものの、実装では消費電力が高くなってしまう。【０００９】
本技術は、このような状況に鑑みてなされたものであり、消費電力を低減することができるようにするものである。
【課題を解決するための手段】
【００１０】
本技術の受信装置は、データに付加された制御情報のうちの一部の情報を抽出する抽出回路と、前記データから、前記抽出回路により抽出された前記一部の情報で特定されるデータを抜き出す抜出処理回路と、前記抜出処理回路により抜き出されたデータの誤り訂正を行う誤り訂正回路とを備える。【００１１】
前記制御情報には、所定数フレーム後の前記データに関するパラメータが含まれるようにすることができる。【００１２】
前記抜出処理回路には、現フレームの前記データから、所定数フレーム前の前記データに付加された前記制御情報のうちの前記パラメータで特定されるデータを抜き出させるようにすることができる。【００１３】
前記誤り訂正回路には、前記抜き出されたデータとともに、現フレームの前記データに付加された前記制御情報の誤り訂正を行わせ、前記抽出回路には、現フレームの前記データに付加された前記制御情報のうちの前記パラメータを抽出させるようにすることができる。【００１４】
前記制御情報は、ARIB STD-B44で規定されるTMCC情報であり、前記パラメータは、相対ストリーム／スロット情報、および、相対ストリーム／伝送ストリームID対応表情報であるようにすることができる。【００１５】
前記誤り訂正回路には、LDPC符号を用いた誤り訂正を行わせることができる。【００１６】
前記誤り訂正回路には、前記抜き出されたデータの量に応じた動作クロックで、誤り訂正を行わせることができる。【００１７】
本技術の受信方法は、データに付加された制御情報のうちの一部の情報を抽出し、前記データから、抽出された前記一部の情報で特定されるデータを抜き出し、抜き出されたデータの誤り訂正を行うステップを含む。【００１８】
本技術のプログラムは、データに付加された制御情報のうちの一部の情報を抽出し、前記データから、抽出された前記一部の情報で特定されるデータを抜き出し、抜き出されたデータの誤り訂正を行うステップを含む処理をコンピュータに実行させる。【００１９】
本技術においては、データに付加された制御情報のうちの一部の情報が抽出され、前記データから、抽出された前記一部の情報で特定されるデータが抜き出され、抜き出されたデータの誤り訂正が行われる。
【発明の効果】
【００２０】
本技術によれば、消費電力を低減することが可能となる。
【図面の簡単な説明】
【００２１】
【図１】一般的な受信装置の構成例を示すブロック図である。
【図２】LDPC符号を用いた誤り訂正における電力消費について説明する図である。
【図３】伝送される信号の構成を示す図である。
【図４】本技術の一実施形態に係る受信装置の構成例を示す図である。
【図５】受信装置の処理について説明するフローチャートである。
【図６】ストリームの抜出処理の流れを示す図である。
【図７】TMCC情報の構成を示す図である。
【図８】相対ストリーム／スロット情報の構成を示す図である。
【図９】相対ストリーム／伝送ストリームID対応表情報の構成を示す図である。
【図１０】伝送ストリームの抜出処理の詳細について説明する図である。
【図１１】LDPC動作期間での消費電力について説明する図である。
【図１２】LDPC動作期間での消費電力について説明する図である。
【図１３】コンピュータの構成例を示すブロック図である。
【発明を実施するための形態】
【００２２】
以下、本技術を実施するための実施の形態について説明する。なお、説明は以下の順序で行う。
１．一般的な受信装置の構成例
２．本技術の受信装置の構成例
３．受信装置の処理
４．ストリームの抜出処理の流れ
５．ストリームの抜出処理の詳細
６．コンピュータの構成例
【００２３】
＜１．一般的な受信装置の構成例＞
図１は、一般的な受信装置の構成例を示すブロック図である。
【００２４】
受信装置１は、例えば、デジタル衛星放送の番組のデータ（画像と音声）を復調し、再生する装置である。受信装置１により再生された番組の画像と音声は、受信装置１に接続された表示装置２から出力される。図１の例においては、受信装置１が表示装置２の外部に設けられているが、表示装置２の内部に設けられるようにしてもよい。
【００２５】
受信装置１が受信するデジタル衛星放送は、例えば、ARIB STD-B44規格の高度広帯域衛星デジタル放送である。ARIB STD-B44規格の高度広帯域衛星デジタル放送においては、番組の画像データはMPEGなどの所定の符号化方式で符号化されており、複数のチャンネルの番組のデータが多重化されて放送が行われる。複数のチャンネルの番組のデータが多重化された多重化データには、伝送と多重に関する制御情報であるTMCC情報が付加されている。
【００２６】
受信装置１は、A/D変換回路１１−１，１１−２、デジタル復調回路１２、誤り訂正復号回路１３、速度調整用バッファ１４、およびMPEGデコーダ１５から構成される。図示せぬアンテナにおいて受信された変調信号は、A/D変換回路１１−１，１１−２に入力される。
【００２７】
A/D変換回路１１−１は、入力された変調信号に対してA/D変換を施し、同相成分（Ｉチャンネル）のデジタル信号を出力する。A/D変換回路１１−２は、入力された変調信号に対してA/D変換を施し、直交成分（Ｑチャンネル）のデジタル信号を出力する。
【００２８】
デジタル復調回路１２は、A/D変換回路１１−１とA/D変換回路１１−２から供給されたデジタル信号に対してデジタル復調処理を施し、デジタル復調処理によって生成された同相成分のデータと直交成分のデータを出力する。
【００２９】
誤り訂正復号回路１３は、デジタル復調回路１２から供給された同相成分のデータと直交成分のデータに基づいて、伝送主信号としての多重化データを生成し、その誤り訂正を行う。また、誤り訂正復号回路１３は、デジタル復調回路１２から供給された同相成分のデータと直交成分のデータに基づいて、TMCC情報を生成し、その誤り訂正を行う。
【００３０】
ARIB STD-B44規格の高度広帯域衛星デジタル放送においては、所定の単位毎の多重化データおよびTMCC情報に対して、内符号としてLDPC符号が付加され、外符号としてBCH符号が付加されている。誤り訂正復号回路１３においては、それらの誤り訂正符号を用いて、多重化データおよびTMCC情報の誤り訂正が行われる。
【００３１】
誤り訂正復号回路１３は、誤り訂正後の多重化データおよびTMCC情報を、速度調整用バッファ１４に出力する。
【００３２】
速度調整用バッファ１４は、誤り訂正復号回路１３から供給された多重化データを構成するTSパケットを記憶する。また、速度調整用バッファ１４は、誤り訂正復号回路１３から供給されたTMCC情報に基づいて、指定されたチャンネルの番組のデータを格納するTSパケットを分離する。そして、速度調整用バッファ１４は、送信側のデータレートと同じレートになるようにレートを調整して、分離したTSパケットを出力する。
【００３３】
MPEGデコーダ１５は、速度調整用バッファ１４から供給されたTSパケットをデコードし、デコードして得られた受信中のチャンネルの番組のデータを表示装置２に出力する。
【００３４】
さて、現行のISDB-Sの後継にあたる規格として策定が進められているISDB-S3においても、誤り訂正符号としてLDPC符号が使用される。LDPC符号を用いた誤り訂正は、高い訂正能力を発揮することができる。しかしながら、図２に示されるように、LDPC符号を用いた誤り訂正が行われている期間（LDPC動作期間）においては、消費電流が大きくなり、消費電力が高くなってしまう。
【００３５】
ところで、ARIB STD-B44規格の高度広帯域衛星デジタル放送において伝送される信号は、図３に示されるように、フレーム単位で構成される。
【００３６】
１フレームは、１２０のスロットから構成され、各スロットは、同期信号、伝送信号点配置信号、および６６のデータから構成される。また、図中、破線で囲まれるように、各データの後には、TMCC情報が分割されて付加されている。分割されて伝送されてくる情報を集めることで生成されるTMCC情報には、２フレーム後のデータに関するパラメータが含まれている。
【００３７】
各スロットには、番組のチャンネルに対応するID（以下、伝送ストリームIDという）が割り当てられている。受信装置１においては、伝送されてくる信号から、要求された伝送ストリームIDに対応するスロットのデータ（ストリーム）が抜き出されることで、ユーザは所望の番組を視聴することができる。
【００３８】
図１の誤り訂正復号回路１３においては、全スロット分の多重化データおよびTMCC情報に対して、LDPC符号を用いた誤り訂正が行われる。言い換えると、要求された伝送ストリームIDに対応するスロット以外のスロットのデータ、すなわち不要なデータに対しても、LDPC符号を用いた誤り訂正が行われることになる。この場合、誤り訂正が行われた後に、要求された伝送ストリームIDに対応するストリームが抜き出される。
【００３９】
しかしながら、LDPC符号を用いた誤り訂正の消費電力は高いため、上述したような構成は、消費電力低減の観点から好ましくない。
【００４０】
そこで、以下においては、LDPC符号を用いた誤り訂正において、消費電力を低減することができる構成について説明する。
【００４１】
＜２．本技術の受信装置の構成例＞
図４は、本技術の一実施形態に係る受信装置の構成例を示すブロック図である。
【００４２】
受信装置２１は、図１の受信装置１と同様、デジタル衛星放送の番組のデータ（画像と音声）を復調し、再生する装置である。受信装置２１により再生された番組の画像と音声は、受信装置２１に接続された表示装置２２から出力される。図４の例においても、受信装置２１が表示装置２２の外部に設けられているが、表示装置２２の内部に設けられるようにしてもよい。
【００４３】
受信装置２１は、A/D変換回路３１−１，３１−２、デジタル復調回路３２、誤り訂正復号回路３３、速度調整用バッファ３４、およびMPEGデコーダ３５から構成される。
【００４４】
なお、受信装置２１におけるA/D変換回路３１−１，３１−２、デジタル復調回路３２、速度調整用バッファ３４、およびMPEGデコーダ３５は、図１の受信装置１におけるA/D変換回路１１−１，１１−２、デジタル復調回路１２、誤り訂正復号回路１３、速度調整用バッファ１４、およびMPEGデコーダ１５と、基本的には同様の機能を有するので、その説明は省略する。
【００４５】
誤り訂正復号回路３３は、IQ変換回路４１、抜出処理回路４２、誤り訂正回路４３、および抽出回路４４から構成される。
【００４６】
IQ変換回路４１は、デジタル復調回路１２から供給された同相成分のデータと直交成分のデータのビット変換を行い、抜出処理回路４２に供給する。
【００４７】
抜出処理回路４２は、IQ変換回路４１から供給されたデータから、抽出回路４４から供給された情報で特定されるデータと、分割されて各データに付加されているTMCC情報とを抜き出し、誤り訂正回路４３に供給する。
【００４８】
誤り訂正回路４３は、誤り訂正符号として、内符号であるLDPC符号と外符号であるBCH符号とを用いて、抜出処理回路４２により抜き出されたデータおよびTMCC情報の誤り訂正を行う。誤り訂正回路４３は、誤り訂正後のデータを速度調整用バッファ３４に供給する。また、誤り訂正回路４３は、誤り訂正後のTMCC情報を抽出回路４４に供給する。
【００４９】
抽出回路４４は、誤り訂正回路４３から供給されたTMCC情報を速度調整用バッファ１４に出力する。
【００５０】
また、抽出回路４４は、誤り訂正回路４３から供給されたTMCC情報全体のうちの一部の情報を抽出し、抜出処理回路４２に供給する。具体的には、抽出回路４４は、TMCC情報全体のうちの一部の情報として、２フレーム後のデータに関するパラメータを抽出する。このパラメータは、指定されたチャンネルに対応する伝送ストリームIDとスロットとの対応関係を示すものである。抽出回路４４による情報（パラメータ）の抽出は、例えば１フレーム毎に行われる。
【００５１】
すなわち、抜出処理回路４２は、現フレームのデータから、２フレーム前のデータに付加されていたTMCC情報に含まれるパラメータに基づいて、要求された伝送ストリームIDに対応するスロットのストリームを抜き出し、誤り訂正回路４３に供給する。
【００５２】
＜３．受信装置の処理＞
次に、図５のフローチャートを参照して、受信装置２１の処理について説明する。
【００５３】
図５に示される各ステップの処理は、適宜、他のステップの処理と並行して、または前後して行われる。
【００５４】
ステップＳ１において、A/D変換回路３１−１とA/D変換回路３１−２は、入力された変調信号に対してA/D変換を施す。
【００５５】
ステップＳ２において、デジタル復調回路３２は、A/D変換により得られたデジタル信号に対してデジタル復調処理を施す。
【００５６】
ステップＳ３において、誤り訂正復号回路３３のIQ変換回路４１は、デジタル復調処理によって得られたデータのビット変換を行う。
【００５７】
ステップＳ４において、抜出処理回路４２は、抽出回路４４から供給されたパラメータに基づいて、現フレームのデータから、要求された伝送ストリームIDで特定されるストリームを、分割されて各データに付加されているTMCC情報とともに抜き出す。
【００５８】
ステップＳ５において、誤り訂正回路４３は、抜出処理回路４２によって抜き出されたストリームおよびTMCC情報の誤り訂正を行う。誤り訂正後のデータは速度調整用バッファ３４に供給され、誤り訂正後のTMCC情報は抽出回路４４に供給される。
【００５９】
ステップＳ６において、抽出回路４４は、誤り訂正後のTMCC情報から、伝送ストリームIDに関するパラメータを抽出し、抜出処理回路４２にフィードバックする。
【００６０】
ステップＳ７において、速度調整用バッファ３４は、誤り訂正回路４３から供給されたデータを構成するTSパケットを、送信側のデータレートと同じレートになるようにレートを調整して出力する。
【００６１】
ステップＳ８において、MPEGデコーダ３５は、速度調整用バッファ３４から供給されたTSパケットをデコードし、指定されたチャンネルの番組のデータを表示装置２に出力する。
【００６２】
＜４．ストリームの抜出処理の流れ＞
ここで、図６を参照して、抜出処理回路４２によるストリームの抜出処理の流れについて説明する。
【００６３】
図６の例では、フレーム＃１乃至＃８に、伝送ストリームIDがID3であるストリームと、ID4であるストリームが含まれているものとする。
【００６４】
まず、図６上段に示されるように、抜出処理回路４２には、全スロット分のデータが、フレーム単位で順次入力される。
【００６５】
抽出回路４４には、２フレーム後のデータに関するパラメータを含むTMCC情報が入力される。
【００６６】
例えば、フレーム＃１のデータに付加されているTMCC情報には、フレーム＃３のデータに関するパラメータが含まれる。したがって、フレーム＃１のデータの誤り訂正が行われた後、図６中段に示されるように、抽出回路４４には、フレーム＃３のデータに関するパラメータを含むTMCC情報が入力される。
【００６７】
また、フレーム＃２のデータに付加されているTMCC情報には、フレーム＃４のデータに関するパラメータが含まれる。したがって、フレーム＃２のデータの誤り訂正が行われた後、図６中段に示されるように、抽出回路４４には、フレーム＃４のデータに関するパラメータを含むTMCC情報が入力される。
【００６８】
このように、フレーム毎にデータの誤り訂正が行われた後、抽出回路４４には、２フレーム後のデータに関するパラメータを含むTMCC情報が順次入力される。
【００６９】
抽出回路４４からは、TMCC情報に含まれる２フレーム後のデータに関するパラメータとして、伝送ストリームIDとスロットとの対応関係を示すパラメータが、抜出処理回路４２に供給される。
【００７０】
したがって、図６下段に示されるように、抜出処理回路４２は、フレーム＃３以降のデータについて、抽出回路４４から供給されたパラメータに基づいて、要求された伝送ストリームIDで特定されるストリームを抜き出すことができる。図６の例では、伝送ストリームIDとしてID3が要求され、フレーム＃３以降のデータから、伝送ストリームIDがID3であるストリームが抜き出されて出力されている。
【００７１】
なお、フレーム＃１，＃２については、抜出処理回路４２によるストリームの抜き出しは行われないので、全てのストリームが出力される。
【００７２】
＜５．ストリームの抜出処理の詳細＞
さらに、ストリームの抜出処理の詳細について説明する。
【００７３】
図７は、TMCC情報の構成を示す図である。
【００７４】
TMCC情報には、８ビットの変更指示、192ビットの伝送モード／スロット情報、128ビットのストリーム種別／相対ストリーム情報、896ビットのパケット形式／相対ストリーム情報が含まれる。また、TMCC情報には、3840ビットのポインタ／スロット情報、480ビットの相対ストリーム／スロット情報、256ビットの相対ストリーム／伝送ストリームID対応表情報、８ビットの送受信制御情報、3614ビットの拡張情報が含まれる。
【００７５】
本実施の形態においては、抽出回路４４により抽出されるパラメータとして、相対ストリーム／スロット情報、および、相対ストリーム／伝送ストリームID対応表情報が、TMCC情報から抽出される。
【００７６】
図８は、相対ストリーム／スロット情報の構成を示す図である。
【００７７】
相対ストリーム／スロット情報は、スロットと相対ストリーム番号との対応関係を示しており、スロット１から順に、各スロットで伝送される相対ストリーム番号が示される。相対ストリーム番号は４ビットで示される。なお、無効なスロットであるダミースロットにも、相対ストリーム番号が割り当てられる。
【００７８】
図９は、相対ストリーム／伝送ストリームID対応表情報の構成を示す図である。
【００７９】
相対ストリーム／伝送ストリームID対応表情報は、相対ストリーム／スロット情報で使用される相対ストリーム番号と伝送ストリームIDとの対応関係を示しており、相対ストリーム番号０から順に、各相対ストリーム番号に対応する伝送ストリームIDが示される。伝送ストリームIDは、１６ビットで示される。伝送ストリームIDは、ストリーム種別がMPEG-2 TSの場合には、MPEG-2 Systemのトランスポートストリーム識別子（TS_ID）となり、TLV形式の場合には、ストリーム識別子（TLVストリームID）となる。
【００８０】
図１０は、相対ストリーム／スロット情報、および、相対ストリーム／伝送ストリームID対応表情報を用いたストリームの抜出処理の詳細を示す図である。
【００８１】
図１０の例では、相対ストリーム／伝送ストリームID対応表情報において、相対ストリーム番号０に伝送ストリームID=17が、相対ストリーム番号１に伝送ストリームID=42が、相対ストリーム番号２に伝送ストリームID=119が、相対ストリーム番号３に伝送ストリームID=827が、相対ストリーム番号４に伝送ストリームID=４が対応付けられている。
【００８２】
また、図１０の例では、スロット＃１乃至＃１２０のうち、スロット＃１乃至＃３，・・・，＃１１６乃至＃１２０には相対ストリーム番号３が、スロット＃６には相対ストリーム番号Ｆ（16進数）が、スロット＃１１５には相対ストリーム番号Ｄ（16進数）が割り当てられている。なお、スロット＃４，＃５はダミースロットであり、相対ストリーム番号３が割り当てられている。
【００８３】
ユーザのチャンネル選択の操作などにより、伝送ストリームID=827が要求された場合、まず、相対ストリーム／伝送ストリームID対応表情報から、伝送ストリームID=827が検索される。
【００８４】
検索された伝送ストリームID=827は、相対ストリーム番号３に対応する。そこで、次に、相対ストリーム／スロット情報に基づいて、相対ストリーム番号３が割り当てられているスロットのストリームが抜き出される。
【００８５】
図１０の例では、相対ストリーム番号３に対応するスロット＃１乃至＃３，・・・，＃１１６乃至＃１２０のストリームが抜き出されることになる。なお、相対ストリーム番号３が割り当てられているスロット＃４，＃５は、ダミースロットであるので、ストリームは抜き出されない。
【００８６】
このように、相対ストリーム／スロット情報、および、相対ストリーム／伝送ストリームID対応表情報を用いて、ストリームの抜出処理が行われる。
【００８７】
以上の処理によれば、要求された伝送ストリームIDに対応するスロットのストリームが抜き出され、抜き出されたデータに対して、LDPC符号を用いた誤り訂正が行われる。すなわち、要求された伝送ストリームIDに対応するスロット以外のスロットのデータ、すなわち不要なデータに対しては、LDPC符号を用いた誤り訂正が行われない。
【００８８】
これにより、図１１上段に示されるような、消費電流が大きい値をとるLDPC動作期間は、図１１下段に示されるように間欠的になる。すなわち、LDPC動作期間全体が短くなるので、LDPC符号を用いた誤り訂正において、消費電力を低減することが可能となる。
【００８９】
なお、図１１下段に示されるような、間欠的なLDPC動作期間は、誤り訂正を行うデータ量が、スロット単位で削減されたことによるものである。例えば、１フレーム分の抜き出されたデータが処理されるのに要する時間は、１フレーム分の全スロットのデータが処理されるのに要する時間より短くなる。したがって、データが処理される時間が短くなった分、電力が消費される時間と消費されない時間とができることになる。
【００９０】
上述したように、本実施の形態によれば、LDPC動作期間全体での消費電力を低減することはできるものの、図１１下段に示されるような、間欠的なLDPC動作期間における電流変動は、実装上好ましくない。
【００９１】
そこで、誤り訂正回路４３が、抜出処理回路４２により抜き出されたデータの量に応じた動作クロックで、誤り訂正を行うようにする。具体的には、抜出処理回路４２により抜き出されたデータの量が少ないほど処理に時間がかかるように、動作クロックの周波数を低くするようにする。
【００９２】
これにより、図１２下段に示されるように、LDPC動作期間における電流波形は平均化され、電流変動を小さくすることが可能となる。
【００９３】
上述した一連の処理は、ハードウェアにより実行することもできるし、ソフトウエアにより実行することもできる。一連の処理をソフトウエアにより実行する場合には、そのソフトウエアを構成するプログラムが、専用のハードウェアに組み込まれているコンピュータ、または汎用のパーソナルコンピュータなどに、プログラム記録媒体からインストールされる。
【００９４】
＜６．コンピュータの構成例＞
図１３は、上述した一連の処理をプログラムにより実行するコンピュータのハードウェアの構成例を示すブロック図である。
【００９５】
CPU(Central Processing Unit)１５１、ROM(Read Only Memory)１５２、RAM(Random Access Memory)１５３は、バス１５４により相互に接続されている。
【００９６】
バス１５４には、さらに、入出力インタフェース１５５が接続されている。入出力インタフェース１５５には、キーボード、マウスなどよりなる入力部１５６、ディスプレイ、スピーカなどよりなる出力部１５７が接続される。また、入出力インタフェース１５５には、ハードディスクや不揮発性のメモリなどよりなる記憶部１５８、ネットワークインタフェースなどよりなる通信部１５９、リムーバブルメディア１６１を駆動するドライブ１６０が接続される。
【００９７】
以上のように構成されるコンピュータでは、CPU１５１が、例えば、記憶部１５８に記憶されているプログラムを入出力インタフェース１５５及びバス１５４を介してRAM１５３にロードして実行することにより、上述した一連の処理が行われる。
【００９８】
CPU１５１が実行するプログラムは、例えばリムーバブルメディア１６１に記録して、あるいは、ローカルエリアネットワーク、インターネット、デジタル放送といった、有線または無線の伝送媒体を介して提供され、記憶部１５８にインストールされる。
【００９９】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１００】
本発明の実施の形態は、上述した実施の形態に限定されるものではなく、本発明の要旨を逸脱しない範囲において種々の変更が可能である。
【０１０１】
また、本技術は以下のような構成をとることができる。
（１）
データに付加された制御情報のうちの一部の情報を抽出する抽出回路と、
前記データから、前記抽出回路により抽出された前記一部の情報で特定されるデータを抜き出す抜出処理回路と、
前記抜出処理回路により抜き出されたデータの誤り訂正を行う誤り訂正回路と
を備える受信装置。
（２）
前記制御情報には、所定数フレーム後の前記データに関するパラメータが含まれる
（１）に記載の受信装置。
（３）
前記抜出処理回路は、現フレームの前記データから、所定数フレーム前の前記データに付加された前記制御情報のうちの前記パラメータで特定されるデータを抜き出す
（２）に記載の受信装置。
（４）
前記誤り訂正回路は、前記抜き出されたデータとともに、現フレームの前記データに付加された前記制御情報の誤り訂正を行い、
前記抽出回路は、現フレームの前記データに付加された前記制御情報のうちの前記パラメータを抽出する
（３）に記載の受信装置。
（５）
前記制御情報は、ARIB STD-B44で規定されるTMCC情報であり、
前記パラメータは、相対ストリーム／スロット情報、および、相対ストリーム／伝送ストリームID対応表情報である
（２）乃至（４）のいずれかに記載の受信装置。
（６）
前記誤り訂正回路は、LDPC符号を用いた誤り訂正を行う
（１）乃至（５）のいずれかに記載の受信装置。
（７）
前記誤り訂正回路は、前記抜き出されたデータの量に応じた動作クロックで、誤り訂正を行う
（１）乃至（６）のいずれかにに記載の受信装置。
（８）
データに付加された制御情報のうちの一部の情報を抽出し、
前記データから、抽出された前記一部の情報で特定されるデータを抜き出し、
抜き出されたデータの誤り訂正を行う
ステップを含む受信方法。
（９）
データに付加された制御情報のうちの一部の情報を抽出し、
前記データから、抽出された前記一部の情報で特定されるデータを抜き出し、
抜き出されたデータの誤り訂正を行う
ステップを含む処理をコンピュータに実行させるプログラム。
【符号の説明】
【０１０２】
２１  受信装置，  ３１−１，３１−３  A/D変換回路，  ３２  デジタル復調回路，  ３３  誤り訂正復号回路，  ３４  速度調整用バッファ，  ３５  MPEGデコーダ，  ４１  IQ変換回路，  ４２  抜出処理回路，  ４３  誤り訂正回路，  ４４  抽出回路
【図１】
2018021036.tif 000003
【図２】
2018021036.tif 000004
【図３】
2018021036.tif 000005
【図４】
2018021036.tif 000006
【図５】
2018021036.tif 000007
【図６】
2018021036.tif 000008
【図７】
2018021036.tif 000009
【図８】
2018021036.tif 000010
【図９】
2018021036.tif 000011
【図１０】
2018021036.tif 000012
【図１１】
2018021036.tif 000013
【図１２】
2018021036.tif 000014
【図１３】
2018021036.tif 000015
【国際調査報告】
2018021036.tif 000016
2018021036.tif 000017
2018021036.tif 000018
2018021036.tif 000019